(57)【要約】      （修正有）【課題】折り畳んだ時に平面になり、展開して装着した時に、使用者の口の表情を外部に伝達でき、肌表面へのフィット性を向上させることができる窓付きマスクを提供する。【解決手段】窓付きマスク３０は、複数層を重ねて成る矩形の平面本体３１と、可撓性を備えた薄膜状の透明フィルム４０を備え、平面本体３１の中央に窓孔３３が開通され、透明フィルム４０が窓孔３３を閉鎖し、平面本体３１の横方向中心線に対して対称な構造の２つの折り畳み部５０が、内折り返し線７１を介して平面本体３１の上下二側に水平に連接され、折り畳み部５０は平面本体３１の皮膚接触側３６に折り畳み可能であり、折り畳み部５０の左右の縦方向に沿う端部が平面本体３１の両側の辺縁の位置に結合され、弾性を有する耳掛け部材３２の両端が平面本体３１の両側の上下角部位置に結合される。【選択図】図１
0003231700.tif 000002
【実用新案登録請求の範囲】
【請求項１】
折り畳んだ状態で平面になる窓付きマスクであって、矩形の平面本体と、前記平面本体の装着時に使用者の口に対応する位置に設けられた透明フィルムとを備え、
前記平面本体は、複数層を重ねて成り、その中央位置に窓孔が開通され、
前記透明フィルムは、可撓性を備えた薄膜状であり、輪郭形状が前記窓孔より大きく、前記窓孔の周縁に周縁結合線により取り付けられて前記窓孔を閉鎖し、
前記平面本体の横方向中心線に対して対称な構造の２つの折り畳み部が、それぞれ内折り返し線を介して前記平面本体の上下二側に水平に一体として連接され、上下２つの前記折り畳み部は、前記平面本体の皮膚接触側に折り畳み可能であり、折り畳んだ状態で、前記横方向中心線寄りの内縁線が前記透明フィルムの内側表面の上下端を越え、前記折り畳み部の左右の縦方向に沿う端部がそれぞれ前記平面本体の両側の辺縁の位置に結合され、
２つの弾性を有する耳掛け部材の自由端がそれぞれ前記平面本体の両側の上下角部位置に結合された、ことを特徴とする、窓付きマスク。
【請求項２】
上下２つの前記折り畳み部が、それぞれ内折り返し部と外折り返し部を備え、前記内折り返し部が前記内折り返し線を介して前記平面本体に連接され、前記外折り返し部が外折り返し線を介して前記内折り返し部に連接され、折り畳み時に、前記内折り返し部が前記内折り返し線を介して前記平面本体の内面である皮膚接触側に折り返され、前記外折り返し部が前記前記外折り返し線を介してさらに前記内折り返し部の内面側に折り返され、前記外折り返し線が形成する前記内縁線が、前記透明フィルムの内側表面の上下端を越える、ことを特徴とする、請求項１に記載の窓付きマスク。
【請求項３】
上下２つの前記折り畳み部それぞれの両側に、前記平面本体の上方向及び下方向に向かって次第に平面本体の縦方向中心線に近づくよう傾斜する融着線が形成され、前記融着線によって前記折り畳み部の両側部が前記平面本体に固定され、２つの前記折り畳み部を開いた時、各折り畳み部の上端縁及び下端縁と前記平面本体とが連続して、共同で仮想の封鎖輪郭線を形成する、ことを特徴とする、請求項１に記載の窓付きマスク。
【請求項４】
上下２つの前記折り畳み部の一方または両方には、装着時における上下方向先端部分の幅方向中央位置に、可撓性ストリップが結合された、ことを特徴とする、請求項１に記載の窓付きマスク。
【考案の詳細な説明】
【技術分野】
【０００１】
本考案は、折り畳んだ時に平面になる窓付きマスクに関する。
【背景技術】
【０００２】
平面マスクとは、折り畳んだ時に長方形の平面を形成するマスクを指す。
このマスクは、マスク本体を上下に襞状に折り返して多数の横方向の折り畳み部が設けられ、これらの折り畳み部を上下に展開させた後、縦方向に折り畳み部を広げて鼻と口の表面を覆い、空気を濾過するカバー面として用いることができる。
このような平面マスクは、マスク本体が鼻及び口の全面を覆って遮蔽するため、使用者の口の表情を外部に伝達することができず、また装着時、マスク本体の周縁を顔表面の曲面にしっかりフィットさせにくい。
【考案の概要】
【考案が解決しようとする課題】
【０００３】
本考案が解決しようとする課題は、折り畳んだ時に平面になり、展開して装着した時に、使用者の口の表情を外部に伝達でき、肌表面へのフィット性を向上させることができる、窓付きマスクを提供することにある。
【課題を解決するための手段】
【０００４】
上記課題を解決するために、本考案の折り畳んだ状態で平面になる窓付きマスクは、矩形の平面本体と、前記平面本体の装着時に使用者の口に対応する位置に設けられた透明フィルムとを備え、前記平面本体は、複数層を重ねて成り、その中央位置に窓孔が開通され、前記透明フィルムは、可撓性を備えた薄膜状であり、輪郭形状が前記窓孔より大きく、前記窓孔の周縁に周縁結合線により取り付けられて前記窓孔を閉鎖し、前記平面本体の横方向中心線に対して対称な構造の２つの折り畳み部が、それぞれ内折り返し線を介して前記平面本体の上下二側に水平に一体として連接され、上下２つの前記折り畳み部は、前記平面本体の皮膚接触側に折り畳み可能であり、折り畳んだ状態で、前記横方向中心線寄りの内縁線が前記透明フィルムの内側表面の上下端を越え、前記折り畳み部の左右の縦方向に沿う端部がそれぞれ前記平面本体の両側の位置に結合され、２つの弾性を有する耳掛け部材の自由端がそれぞれ前記平面本体の両側の上下角部位置に結合される。
【０００５】
望ましくは、上下２つの前記折り畳み部が、それぞれ内折り返し部と外折り返し部を備え、前記内折り返し部が前記内折り返し線を介して前記平面本体に連接され、前記外折り返し部が外折り返し線を介して前記内折り返し部に連接され、前記内折り返し部が前記内折り返し線を介して前記平面本体の内面である皮膚接触側に折り返され、折り畳み時に、前記外折り返し部が前記前記外折り返し線を介してさらに前記内折り返し部の内面側に折り返され、前記外折り返し線が形成する前記内縁線が、前記透明フィルムの内側表面の上下端を越える。
【０００６】
望ましくは、上下２つの前記折り畳み部それぞれの両側に、前記平面本体の上方向及び下方向に向かって次第に平面本体の縦方向中心線に近づくよう傾斜する融着線が形成され、前記融着線によって前記折り畳み部の両側部が前記平面本体に固定され、２つの前記折り畳み部を開いた時、各折り畳み部の先端縁と前記平面本体とが連続して、共同で仮想の封鎖輪郭線を形成する。
【０００７】
望ましくは、上下２つの前記折り畳み部の一方または両方には、装着時における上下方向先端部分の幅方向中央位置に、可撓性ストリップが結合される。
【考案の効果】
【０００８】
本考案の窓付きマスクによれば、透明フィルムを通して使用者の口の表情を外部に伝達できる。また、両側部が平面本体に固定された折り畳み部を開いた時に、折り畳み部と平面本体によって立体状のカバー体が形成され、装着時の遮蔽性とフィット性が高められる。
【図面の簡単な説明】
【０００９】
【図１】本考案の実施形態を示す窓付きマスクの斜視図である。
【図２】本考案の実施形態に係る窓孔の開設工程を示す概略図である。
【図３】本考案の実施形態に係る透明フィルムの結合工程を示す概略図である。
【図４】本考案の実施形態を示す窓付きマスクの折り畳み部の折り返し途中における斜視図である。
【図５】本考案の実施形態を示す窓付きマスクの折り畳み部の完成状態における側面図である。
【図６】本考案の実施形態に係る可撓性ストリップの結合工程を示す概略図である。
【図７】本考案の実施形態を示す窓付きマスクの展開状態における斜視図である。
【図８】本考案の実施形態を示す窓付きマスクの展開状態における側断面図である。
【考案を実施するための形態】
【００１０】
以下、本考案の実施形態を図面に基づいて詳細に説明する。
図１に示すように、窓付きマスク３０は、折り畳むと平面状であり、矩形の平面本体３１を備える。
平面本体３１の中央（使用者の口に対応する位置）に、縦横方向が平面本体３１と平行な窓孔３３が設けられ、窓孔３３に透明フィルム４０が取り付けられて窓孔３３が閉鎖されている。
透明フィルム４０は、透光性及び可撓性を備えた薄膜状であり、面積形状が窓孔３３より大きい。
【００１１】
平面本体３１の上下二側には、平面本体３１の横方向中心線に対して対称な上下２つの折り畳み部５０がそれぞれ皮膚接触側３６へ折り畳み可能に、内折り返し線７１を介して水平に一体として連接される。
上下２つの折り畳み部５０は、水平方向に設けられた内折り返し線７１を介して平面本体３１の上下に連接された内折り返し部５１と、内折り返し線７１と平行な外折り返し線７２を介して内折り返し部５１の先端側に連接された外折り返し部５２を備える。
そして、内折り返し線７１を介して内折り返し部５１を平面本体３１の内面である皮膚接触側３６に折り返し、外折り返し線７２を介して外折り返し部５２をさらに内折り返し部５１の内面側に折り返すことができる。
また、上下２つの折り畳み部５０は、折り畳んだ状態で、その内縁線７４（外折り返し線７２と一致する）が透明フィルム４０の上下端を越えて透明フィルム４０の面積内に達する。
【００１２】
上下２つの折り畳み部５０は、それぞれの両側の側辺面５４に、平面本体３１の上方向及び下方向に向かって、次第に平面本体３１の幅方向中央に位置する縦方向中心線に近づくよう傾斜する融着線６３が設けられる。そして、内折り返し部５１及び外折り返し部５２が重なった状態で、上下の折り畳み部５０の両側部が融着線６３によって平面本体３１の上下両側部に固定される。
【００１３】
折り畳み部５０を含む平面本体３１は、複数層の布材を積層してなる。本実施形態では、アウター層３１１、中間層３１２、ライナー層３１３を重ねてある。
また、平面本体３１の両側に、弾性を有する封鎖された環状となる耳掛け部材３２がそれぞれ結合される。耳掛け部材３２の二端は、それぞれサイド融着線３４または結合点３５を介して平面本体３１の両側の上下角部の位置に結合される。
平面本体３１の両側において積層されたアウター層３１１、中間層３１２、ライナー層３１３がサイド融着線３４により結合され、同時に、折り畳み部５０の左右の縦方向に沿う端部がそれぞれサイド融着線３４により平面本体３１の両側の辺縁の位置に結合される。
【００１４】
図１及び図２から図５を参照して、窓付きマスク３０の製造工程を説明する。
図２に示すように、折り畳み部５０及び平面本体３１を形成する布材はアウター層３１１、中間層３１２、ライナー層３１３を重ねて成る積層帯状材料９０である。
積層帯状材料９０には、折り畳み部５０及び平面本体３１を形成する所定区間３００の区間位置が設定され、平面本体３１を形成する予定の面中央に、長軸の方向が積層帯状材料９０の長手方向に平行な窓孔３３が開設され、積層帯状材料９０の両側部に、１組の企画線群７０によって、積層帯状材料９０の長手方向と平行な内折り返し線７１、外折り返し線７２、縁線７３が、中心線寄りから側縁に向かってこの順で設けられる。
【００１５】
続いて、図３に示すように、所定区間３００の位置において透明フィルム４０を窓孔３３の位置に合わせて配置し、溶接操作で周縁結合線４１を形成して、透明フィルム４０と窓孔３３の周縁を平面的に密接結合させる。
【００１６】
続いて、図４に示すように、透明フィルム４０を取り付けた後、積層帯状材料９０の両側の対称な折り畳み部５０の折り畳みを行う。
折り畳み部５０は企画線群７０により形成され、内折り返し線７１で積層帯状材料９０の幅方向内側に折り返して内折り返し部５１が設けられ、内折り返し部５１を外折り返し線７２で積層帯状材料９０の幅方向外側に折り返して外折り返し部５２が設けられる。縁線７３と内折り返し線７１が折り畳まれた状態で重なり合い、外折り返し線７２（内縁線７４）が、折り畳まれた状態で、透明フィルム４０の両側縁を越えて透明フィルム４０の周縁で囲まれた内側に達する。
【００１７】
図５に示すように、窓付きマスク３０の上下部に対称に折り畳まれた折り畳み部５０は、それぞれ折り返して形成された外折り返し線７２（内縁線７４）が透明フィルム４０（窓孔３３）の周縁で囲まれた内側に進入し、内折り返し部５１、外折り返し部５２が内折り返し線７１で折り返されて重ね合わされた状態となり、かつ皮膚接触側３６の一側に折り畳まれる。
【００１８】
図１に示すように、折り畳み部５０には、それぞれ角部の側辺面５４の位置に融着線６３が形成され、融着線６３によって折り畳み部５０と平面本体３１を融着し、融着線６３により折り畳み部５０及び平面本体３１の重ねた層が定着される。
【００１９】
図６に示すように、積層帯状材料９０の両側部に折り畳み部５０が形成され、窓孔３３が所定区間３００の中央位置に配置されるため、両側の折り畳み部５０は対称となる。
可撓性ストリップ８０は、一方の縁線７３近くに設置するか、２つの縁線７３近くに設置することを選択できる。使用者の鼻梁と下顎の両方に２本の可撓性ストリップ８０を取り付けて調整機能を付与すると、使用者の皮膚表面により密着させることができる。
【００２０】
図７に示すように、窓付きマスク３０は、平面本体３１の縦方向中心線Ｌの位置に透明フィルム４０が設置され、両側の耳掛け部材３２により使用者の耳に掛けて装着できるようになっており、上下対称にそれぞれ内折り返し線７１によって２つの折り畳み部５０が連接されている。
折り畳み部５０を広げて全体を展開すると、平面本体３１の皮膚接触側３６が凹陥した立体カバー体６０が形成され、使用者の鼻梁と下顎の皮膚曲面を覆って被せることができる。（図は角度の制限があるため、本図では上部の折り畳み部５０しか表示しておらず、下部の折り畳み部５０も対称の構造であるため、ここでは表示を省略している）。
【００２１】
折り畳み部５０の縁線７３に近い辺縁部の幅方向中央には、横方向に可撓性ストリップ８０が設置される。可撓性ストリップ８０は、使用者の顔面に押し付けて調整することにより、取付け部位の内側表面を使用者の鼻梁等の立体的な表面により密着させることができる。
可撓性ストリップ８０は、一方の折り畳み部５０の辺縁位置に設置するか、または上下２つの折り畳み部５０の辺縁位置両方に設置してもよい。
【００２２】
上下の折り畳み部５０は、内折り返し線７１を介して平面本体３１に内折り返し部５１が連接され、内折り返し部５１に外折り返し線７２を介して外折り返し部５２が連接されて構成され、（図１に示すように）折り畳み部５０の左右両側において平面本体３１に重ねられた四隅の側辺面５４位置に、それぞれ上方向及び下方向に向かって次第に縦方向中心線Ｌに近づくよう傾斜し内側に窄んだ融着線６３が形成される。
上下２つの折り畳み部５０を広げて装着して使用するとき、融着線６３によって折り畳み部５０の両側部に連結された平面本体３１の面と上下の縁線７３とが連続して、共同で仮想の封鎖輪郭線６３０を形成することができ、平面本体３１の縦方向中心線Ｌが、連結点５３を介して折り畳み部５０の中央線に連結される。
【００２３】
図８に示すように窓付きマスク３０を装着して使用する際に、縁線７３をそれぞれ上下に展開すると、平面本体３１の両側上下部が内面方向に引かれ、使用者の耳にかけた耳掛け部材３２が使用者の顔面後方へ引っ張られると、融着線６３の両端が前後に牽引される結果、窓付きマスク３０が鼻と口、頬の周りに貼りつき、この時、封鎖輪郭線６３０が形成される。封鎖輪郭線６３０で囲まれた内側は平面本体３１、内折り返し部５１、外折り返し部５２の内側表面が共同で立体カバー体６０を形成し、装着時の耳掛け部材３２による引張りで、封鎖輪郭線６３０を使用者の鼻梁と頬、下顎の皮膚表面に密着させ、密着性能を高めることができる。
立体カバー体６０は、使用者の鼻部を覆う上カバー側６１と顎部を覆う下カバー側６２を有するものと定義でき、上方の折り畳み部５０を展開すると上カバー側６１となり、下方の折り畳み部５０を展開すると下カバー側６２となり、上カバー側６１、下カバー側６２、平面本体３１の内側表面が共同で立体カバー体６０を構成する。
【００２４】
平面本体３１の上下にそれぞれ対称に折り畳み部５０と融着線６３が設けられており、上下の縁線７３を開くと、その拡張状態は対称となり、上下が対称の空間を有する立体カバー体６０が形成される。立体カバー体６０は、平行な上下２つの縁線７３と平面本体３１とが共同で構成する封鎖輪郭線６３０を有し、この封鎖輪郭線６３０が、仮想の枠状囲いを構成し、立体カバー体６０の内部空間が維持され、装着時の遮蔽効果が高められる
【００２５】
本実施形態では、折り畳み部５０が、内折り返し部５１に、その内面側へ折り返される外折り返し部５２が連接されて形成されているが、その材料の弾性が十分な状況であれば、１枚構造とすることができる。
即ち、折り畳み部５０は、内折り返し部５１と外折り返し部５２とを重ねずに、１枚の構造とし、内折り返し線７１を介して平面本体３１の上下側に連結される。この場合、内縁線は即ち縁線７３となる。
【符号の説明】
【００２６】
Ｌ            縦方向中心線
３０            窓付きマスク
３１            平面本体
３２            耳掛け部材
３３            窓孔
３４            サイド融着線
３５            結合点
３６            皮膚接触側
３００          所定区間
３１１          アウター層
３１２          中間層
３１３          ライナー層
４０            透明フィルム
４１            周縁結合線
５０            折り畳み部
５１            内折り返し部
５２            外折り返し部
５３            連結点
５４            側辺面
６０            立体カバー体
６１            上カバー側
６２            下カバー側
６３            融着線
６３０          封鎖輪郭線
７０            企画線群
７１            内折り返し線
７２            外折り返し線
７３            縁線
７４            内縁線
８０            可撓性ストリップ
８１            縫合線
９０            積層帯状材料
【図１】
0003231700.tif 000003
【図２】
0003231700.tif 000004
【図３】
0003231700.tif 000005
【図４】
0003231700.tif 000006
【図５】
0003231700.tif 000007
【図６】
0003231700.tif 000008
【図７】
0003231700.tif 000009
【図８】
0003231700.tif 000010